【事件の表示】
　特許第２７９０９２４号「デジタル信号記録再生装置」の請求項１ないし２に係る特許に対する特許異議の申立てについて、次のとおり決定する。
【結論】
　訂正を認める。
　特許第２７９０９２４号の請求項１ないし２に係る特許を維持する。
【理由】
１．手続きの経緯
　　特許出願　　　　　平成３年７月１６日
　　特許権設定登録　　平成１０年６月１２日
　　特許異議の申立て　平成１１年３月１日
　　　　（異議申立人渡部廣美）
　　取消理由通知　　　平成１１年５月１８日
　　訂正請求　　　　　平成１１年７月１５日
　　特許異議意見　　　平成１１年７月１５日
２．訂正の適否についての判断
（１）本件発明
　　訂正明細書の請求項１、２に係る発明（以下、「本件発明」という。）は、その特許請求の範囲の請求項１、２に記載された次のとおりのものである。
　「【請求項１】デジタルコピーが可能なデータ群と、デジタルコピーが禁止されたデータ群とが混在する記録媒体を用いてデータの再生を行うことができるデジタル信号記録再生装置において、
　　上記データ群にそれぞれ対応する画像を表示する表示手段と、
　　上記記録媒体の再生データからデジタルコピーの可否を表すデータを検出する検出手段と、
　　該検出手段による検出結果に基づいてデジタルコピーが禁止されたデータ群とデジタルコピーが可能なデータ群とを識別する識別手段と
、
　　
デジタルコピー可否の識別を指示する指示手段と
　　上記表示手段は、
上記指示手段の指示に基づいて
データ群を表わす
　【請求項２】上記識別手段による識別結果に基づいてデジタルコピーが可能なデータ群のみを選択的に再生する再生制御手段を設けたことを特徴とする請求項１記載のデジタル信号記録再生装置。」
（２）訂正の目的の適否及び拡張・変更の存否
　　上記訂正は、上記特許請求の範囲の請求項１の記載事項中、下線部の構成を付加して構成要件を限定したものであって、特許請求の範囲の減縮に該当し、実質的に特許請求の範囲を拡張又は変更するものではない。
（３）独立特許要件の判断
　　本件発明に対して、当審が通知した取消理由で引用した刊行物１（実願平３−４０４７号（実開平４−１０３３９０号公報参照）のマイクロフィルム：甲第１号証）には、「デジタル信号で情報が記録された記録媒体を再生し、記録するデジタル録再生機器において、記録媒体の再生、サーチ若しくは早送り動作が行われたときプログラム番号毎にデジタルでのコピーを禁止する符号が有るか否かを検出する検出手段と、この検出結果に基づいてプログラム番号毎にデジタルでのコピーの可否を表示する表示手段とを備えたことを特徴とするデジタル録再生機器のコピー可否表示装置。」が、同刊行物２（実願平３−４０４８号（実開平４−１０３３２３号公報参照）のマイクロフィルム：甲第２号証）には、「デジタル信号で情報が記録された記録媒体を再生し、記録するデジタル録再生機器において、記録媒体中のプログラム番号毎にデジタルでのコピーを禁止する符号が有るか否かを検出する検出手段と、上記検出の結果、デジタルコピー禁止符号が有るプログラムについて録音を行う機器側で録音の一時停止を行う手段と、デジタルコピー禁止符号が有って録音を行わなかったプログラム番号の一覧を表示する表示手段とを備えたことを特徴とするデジタル録再生機器の表示装置。」がそれぞれ記載されている。
　そこで、本件発明と上記刊行物１、２に記載されているものとを対比すると、後者は、すくなくとも前者の必須の構成要件である「デジタルコピー可否の識別を指示する指示手段」を具備していない。
　　よって、前者が後者と同一であるとはいえない。
　　したがって、本件発明が特許出願の際独立して特許を受けることができない発明であるとすることはできない。
（４）その他の訂正について
　　上記特許請求の範囲の減縮に伴い、明細書の明瞭でない記載の釈明及び誤記の訂正をしたものであって、実質的に特許請求の範囲を拡張又は変更するものではない。
（５）むすび
　　以上のとおりであるから、上記訂正請求は、特許法第１２０条の４第２項及び同条第３項で準用する第１２６条第２〜４項の規定に適合するので、当該訂正を認める。
３．特許異議の申立てについての判断
（１）申立ての理由の概要
　　申立人渡部廣美は、請求項１、２に係る発明は、それぞれ甲第１号証若しくは甲第２号証に記載された発明と同一であり、特許法第２９条の２の規定により特許を受けることができないものであるから、その特許は取り消されるべきものである旨主張してる。
（２）判断
　　本件発明は、上記２．（３）で示したように、取消理由通知で示した刊行物１若しくは２即ち甲第１若しくは２号証に記載された発明と同一であるとすることはできない。
４．むすび
　　以上のとおりであるから、特許異議申立ての理由及び証拠によって、本件発明の特許を取り消すことはできない。
　　よって、結論のとおり決定する。
【異議決定日】
平成１１年８月２６日（１９９９．８．２６）
【訂正の要旨】
訂正の要旨
　ａ．特許請求の範囲の請求項１に記載の『‥‥識別手段とを設ける一方、上記表示手段は、データ群に対応する画像を表示するとき、‥‥その表示画像を異ならせる、‥‥』を、特許請求の範囲の減縮を目的として『‥‥識別手段と
、デジタルコピー可否の識別を指示する指示手段と
上記指示手段の指示に基づいて
データ群を表わす
　ｂ．特許請求の範囲の請求項３に記載の『上記表示手段に表示された画像に基づいて記録開始データ群と記録終了データ群を指定する指定手段を設ける一方、上記再生制御手段は、上記指定手段によって指定された記録開始データ群と記録終了データ群との間に位置するデジタルコピーが可能なデータ群を選択的に再生することを特徴とする請求項２記載のデジタル信号記録再生装置。』を、特許請求の範囲の減縮を目的とする請求項１の訂正に伴って『
デジタルコピーが可能なデータ群と、デジタルコピーが禁止されたデータ群とが混在する記録媒体を用いてデータの再生を行うことができるデジタル信号記録再生装置において、上記データ群にそれぞれ対応する画像を表示する表示手段と、上記記録媒体の再生データからデジタルコピーの可否を表すデータを検出する検出手段と、該検出手段による検出結果に基づいてデジダルコピーが禁止されたデータ群とデジタルコピーが可能なデータ群とを識別する識別手段と、
と、上記識別手段による識別結果に基づいて
再生制御手段
上記表示手段は、データ群に対応する画像を表示するとき、上記識別手段による識別結果に基づいてデジタルコピーが可能なデータ群とデジタルコピーが禁止されたデータ群とで、その表示画像を異ならせる
るデ
　ｃ．特許明細書第７段落目に記載の『上記課題を解決するために、バス‥』を、誤記の訂正を目的として『
【課題を解決するための手段】
　ｄ．特許明細書第７段落目に記載の『‥‥識別手段とを設ける一方、上記表示手段は、データ群に対応する画像を表示するとき、‥‥その表示画像を異ならせる‥‥』を、明瞭でない記載の釈明を目的として『‥‥識別手段と
、デジタルコピー可否の識別を指示する指示手段と
上記指示手段の指示に基づいて
データ群を表わす
　ｅ．特許明細書第８段落目に記載の『‥‥請求項２記載の発明の構成に加え、上記表示手段に表示された画像に基づいて記録開始データ群と記録終了データ群を指定する指定手段を設ける一方、上記再生制御手段が、上記指定手段によって指定された記録開始データ群と記録終了データ群との間に位置するデジタルコピーが可能なデータ群を選択的に再生するものである。』を、明瞭でない記載の釈明を目的として『‥‥
デジタルコピーが可能なデータ群と、デジタルコピーが禁止されたデータ群とが混在する記録媒体を用いてデータの再生を行うことができるデジタル信号記録再生装置において、上記データ群にそれぞれ対応する画像を表示する表示手段と、上記記録媒体の再生データからデジタルコピーの可否を表すデータを検出する検出手段と、該検出手段による検出結果に基づいてデジタルコピーが禁止されたデータ群とデジタルコピーが可能なデータ群とを識別する識別手段と、
と、上記識別手段による識別結果に基づいて
再生制御手段と
上記表示手段は、データ群に対応する画像を表示するとき、上記識別手段による識別結果に基づいてデジタルコピーが可能なデータ群とデジタルコピーが禁止されたデータ群とで、その表示画像を異ならせる
　ｆ．特許明細書第９段落目に記載の『‥‥表示手段がデータ群に対応する画像を表示するとき、‥‥その表示画像を異ならせる‥‥』を、明瞭でない記載の釈明を目的として『‥‥表示手段が
指示手段の指示に基づいて
データ群を表わす
　ｇ．特許明細書第５３段落目に記載の『‥‥請求項１記載の発明によれば、データ群に対応する画像を表示するとき、‥‥その表示画像を異ならせることにより、‥‥できるため、後のデジタルコピー動作を円滑に行うことができる。‥‥』を、明瞭でない記載の釈明を目的として『‥‥請求項１記載の発明によれば、
ユーザーの操作に基づいて
データ群を表わす
所望のタイミングにて画像表示を開始させることにより、
（５４）【発明の名称】
デジタル信号記録再生装置
（５７）【特許請求の範囲】
　　【請求項１】　デジタルコピーが可能なデータ群と、デジタルコピーが禁止されたデータ群とが混在する記録媒体を用いてデータの再生を行うことができるデジタル信号記録再生装置において、
　上記データ群にそれぞれ対応
する
　上記記録媒体の再生データからデジタルコピーの可否を表すデータを検出する検出手段と、
　該検出手段による検出結果に基づいてデジタルコピーが禁止されたデータ群とデジタルコピーが可能なデータ群とを識別する識別手段と
、
　
デジタルコピー可否の識別を指示する指示手段と
　上記表示手段は、
上記指示手段の指示に基づいて
データ群を表わす
　　【請求項２】　上記識別手段による識別結果に基づいてデジタルコピーが可能なデータ群のみを選択的に再生する再生制御手段を設けたことを特徴とする請求項１記載のデジタル信号記録再生装置。
　　【請求項３】　
デジタルコピーが可能なデータ群と、デジタルコピーが禁止されたデータ群とが混在する記録媒体を用いてデータの再生を行うことができるデジタル信号記録再生装置において、
　
上記データ群にそれぞれ対応する画像を表示する表示手段と、
　
上記記録媒体の再生データからデジタルコピーの可否を表すデータを検出する検出手段と、
　
該検出手段による検出結果に基づいてデジタルコピーが禁止されたデータ群とデジタルコピーが可能なデータ群とを識別する識別手段と、
　上記表示手段に表示された画像に基づいて記録開始データ群と記録終了データ群を指定する指定手段
と、
　
上記識別手段による識別結果に基づいて
再生制御手段と
　
上記表示手段は、データ群に対応する画像を表示するとき、上記識別手段による識別結果に基づいてデジタルコピーが可能なデータ群とデジタルコピーが禁止されたデータ群とで、その表示画像を異ならせる
るデ
【発明の詳細な説明】
　　　【０００１】
　　【産業上の利用分野】
　本発明は、回転式デジタル・オーディオ・テープレコーダ（以下「Ｒ−ＤＡＴ」という）または固定式デジタル・オーディオ・テープレコーダ（以下「Ｓ−ＤＡＴ」という）等のような、デジタル信号記録再生装置に関するものである。
　　　【０００２】
　　【従来の技術】
　例えばＲ−ＤＡＴではアナログ信号をＡ／Ｄ変換器にてデジタル信号に変換して記録することができるのは勿論、外部機器からデジタル・インターフェース・フォーマットに準拠して送られてきたデジタル信号を記録することができる。
　　　【０００３】
　デジタル信号にて、他の機器との入出力を行なえばＡ／Ｄ変換器やＤ／Ａ変換器、アナログ回路を介さず録音が出来るので音質劣化のない録音再生が可能となる。
　　　【０００４】
　上記のデジタル・インターフェース・フォーマットではデジタル音声等の情報信号の他に種々の制御信号が付加され送受信される。種々の制御信号の一つに所謂コピー禁止信号があり、Ｒ−ＤＡＴの受信（記録）側にて記録すべきでないときに送信（再生）側にて付加されるものである。
　　　【０００５】
　従来のＲ−ＤＡＴではユーザーが送信側の制御信号に基づきキー入力の操作で選択して記録していた。よってデジタル信号を記録しようとした時にコピー禁止信号が付加されている場合には記録動作は停止し、コピー禁止であることが表示されるようになっていた。
　　　【０００６】
　　【発明が解決しようとする課題】
　上記のような従来のデジタル信号記録再生装置では、ユーザーがコピー禁止信号の有無を常に監視する必要があり、長時間の記録は困難であった。
　　　【０００７】
　　
【課題を解決するための手段】
　上記課題を解決するために、請求項１記載の発明は、デジタルコピーが可能なデータ群と、デジタルコピーが禁止されたデータ群とが混在する記録媒体を用いてデータの再生を行うことができるデジタル信号記録再生装置において、上記データ群にそれぞれ対応する画像を表示する表示手段と、上記記録媒体の再生データからデジタルコピーの可否を表すデータを検出する検出手段と、該検出手段による検出結果に基づいてデジタルコピーが禁止されたデータ群とデジタルコピーが可能なデータ群とを識別する識別手段と
、デジタルコピー可否の識別を指示する指示手段と
上記指示手段の指示に基づいて
データ群を表わす
　　　　【０００８】
　請求項２記載の発明は、請求項１記載の発明の構成に加え、上記識別手段による識別結果に基づいてデジタルコピーが可能なデータ群のみを選択的に再生する再生制御手段を設けたものである。
　請求項３記載の発明は、
デジタルコピーが可能なデータ群と、デジタルコピーが禁止されたデータ群とが混在する記録媒体を用いてデータの再生を行うことができるデジタル信号記録再生装置において、上記データ群にそれぞれ対応する画像を表示する表示手段と、上記記録媒体の再生データからデジタルコピーの可否を表すデータを検出する検出手段と、該検出手段による検出結果に基づいてデジタルコピーが禁止されたデータ群とデジタルコピーが可能なデータ群とを識別する識別手段と、
と、上記識別手段による識別結果に基づいて
再生制御手段と
上記表示手段が、データ群に対応する画像を表示するとき、上記識別手段による識別結果に基づいてデジタルコピーが可能なデータ群とデジタルコピーが禁止されたデータ群とで、その表示画像を異ならせる
　　　【０００９】
　　【作用】
　従って、請求項１記載の発明によれば、記録媒体の再生データからデジタルコピーの可否を表すデータを検出手段が検出すると共に、その検出結果に基づいて識別手段がデジタルコピーが禁止されたデータ群とデジタルコピーが可能なデータ群とを識別する。そして、表示手段が
指示手段の指示に基づいて
データ群を表わす
　請求項２記載の発明によれば、再生制御手段が識別手段による識別結果に基づいてデジタルコピーが可能なデータ群のみを選択的に再生することにより、デジタルコピーが可能なデータ群のみを自動選択して途切れなく連続してデジタル記録することができる。
　請求項３記載の発明によれば、表示手段に表示された画像に基づいて記録開始データ群と記録終了データ群が指定手段によって指定されたとき、再生制御手段が指定手段によって指定された記録開始データ群と記録終了データ群との間に位置するデジタルコピーが可能なデータ群を選択的に再生することにより、デジタルコピーが可能なデータ群のみを自動選択して途切れなく連続してデジタル記録することができると共に、そのデジタル記録を行うデータ群をユーザーにおいて任意に設定することができる。
　　　【００１０】
　　【実施例】
　以下に本発明にかかるデジタル信号記録再生装置の実施例を図面に基づいて説明する。
　　　【００１１】
　図１は本発明にかかるデジタル信号記録再生装置を示す全体斜視図である。図２は本発明にかかるデジタル信号記録再生装置を示す概略ブロック回路図である。図３は同デジタル信号記録再生装置における識別表示時の動作制御の一例を示すフローチャートである。図４は同デジタル信号記録再生装置における表示部の具体的な識別表示の一例を示す説明図である。図５は同デジタル信号記録再生装置におけるデジタルコピー時の動作制御の一例を示すフローチャートである。図６は同デジタル信号記録再生装置におけるデジタルコピー時の動作制御の他の例を示すフローチャートである。
　　　【００１２】
　図１において、本装置の前面パネル部１の左側に配置されているローデイング機構を備えるカセット挿入口１ａを設け、該カセット挿入口１ａの下側に本装置を動作させるコントロール操作キー部１ｂを設ける。該カセット挿入口１ａの右側に動作内容並びに情報を示す表示部１ｃを設ける。その他、電源スイッチ１ｄ，ボリューム摘子１ｅ等を設けている。
　　　【００１３】
　図２において、図２（ａ）はデジタル信号記録再生装置を再生装置として使用時の概略ブロック回路図であり、図２（ｂ）はデジタル信号記録再生装置を記録装置として使用時の概略ブロック回路図である。
　　　【００１４】
　図２（ａ）において、符号１１は再生部であって記録された信号を再生する。１２は信号処理部であって、その入力側は再生部１１の出力側と接続されている。１３はＤ／Ａ変換器であって、信号処理部１２の出力側と接続されている。
　　　【００１５】
　マイコン１４は、デジタルコピー禁止信号の有無を検出し制御信号を出力するコピー禁止検出制御回路１４ａ，フォーマットＩＤよりスタートＩＤ，エンドＩＤ並びに曲の情報内容を検出し制御信号を出力する曲情報検出制御回路１４ｂ，キー入力部の入力信号を検出し制御信号を出力するキー入力検出制御回路１４ｃ並びに表示部を制御する表示信号を出力する表示信号制御回路１４ｄ等からなるシステムマイコンであって、上記信号処理部１２とラインｌ５を介して接続されている。
　　　【００１６】
　　メカニズム制御部１５は、メカニズム制御信号を入出力する制御回路１５ａ，再生・記録用ソレノイド１５ｂ，早送り用ソレノイド１５ｃ，巻戻し用ソレノイド１５ｄ並びにモータ１５ｅ等からなり、上記マイコン１４からラインｌ４を介して送られる制御信号に従い再生部１１を制御する。
　　　【００１７】
　キー入力部１６は、再生キー１６ａ，録音キー１６ｂ，早送りキー１６ｃ，巻戻しキー１６ｄ，停止キー１６ｅ，一時停止キー１６ｆ，自動識別キー１６ｇ，自動選択キー１６ｈ並びに連続録音キー１６ｉ等からなり、マイコン１４と接続されている。
　　　【００１８】
　符号１８はアナログ信号出力端子、１９は該アナログ信号出力端子１８より出力される信号と同じ情報内容であり、デジタル・インターフェース・フォーマットに準じたデジタル信号出力端子、２０は記録装置側よりの制御信号を入力する制御信号入力端子である。
　　　【００１９】
　図２（ｂ）において、符号２１はアナログ信号入力端子、２２はＡ／Ｄ変換器であってその入力側が該アナログ入力端子２１に接続されている。２３はデジタル・インターフェース・フォーマットに準じたデジタル信号入力端子であり、上記アナログ入力端子２１に加えられる入力信号と同じ情報内容の信号が入力される。符号２４はデジタル信号変換部であって、その入力側がデジタル信号入力端子２３と接続されており、デジタル・インターフェース・フォーマットで与えられた信号をＡ／Ｄ変換器２２の出力と同じフォーマットに変換する。
　　　【００２０】
　マイコン２５は、再生側のマイコン１４ととほぼ同等のマイコンであって、デジタルコピー禁止信号の有無を検出し制御信号を出力するコピー禁止検出制御回路２５ａ，曲情報検出制御回路２５ｂ，キー入力検出制御回路２５ｃ並びに表示信号制御回路２５ｄ等からなるシステムマイコンであって、記録側の各部の制御を行なう。
　　　【００２１】
　符号２６は信号処理部であって、その入力側がＡ／Ｄ変換器２２の出力側並びにデジタル信号変換部２４の出力側と接続され、入力されたデジタル信号に誤り訂正符号を付加したりする。符号２７は記録部であって、入力側が信号処理部２６の出力側と接続され、処理された信号をテープ等の記録媒体に記録する。
　　　【００２２】
　メカニズム制御部２８は、再生側のメカニズム制御部１５とほぼ同等であって、制御回路２８ａ，再生・記録用ソレノイド２５ｂ，早送り用ソレノイド２５ｃ，巻戻し用ソレノイド２８ｄ並びにモータ２８ｅ等からなる。
　　　【００２３】
　キー入力部２９は、再生側のキー入力部１６とほぼ同等であって、再生キー２９ａ，録音キー２９ｂ，早送りキー２９ｃ，巻戻しキー２９ｄ，停止キー２９ｅ，一時停止キー２９ｆ，自動識別キー２９ｇ，自動選択キー２９ｈ並びに連続録音キー２９ｉ等からなる。
　　　【００２４】
　符号３０は表示部で再生側の表示部１７とほぼ同等であり、また３１はマイコン２５より出力される制御信号出力端子である。
　　　【００２５】
　上記のように構成された本発明のデジタル信号記録再生装置において、請求項１を実施するための実施例を図３に示すフローチャートにより説明する。
　　　【００２６】
　ステップ４１において、キー入力部１６の自動識別キー１６ｇをＯＮするキー操作を行なうと、ステップ４２に進み、マイコン１４よりラインｌ４を介してメカニズム制御部１５へ巻戻しする制御信号が与えられる。上記メカニズム制御部１５では、制御回路１５ａより、巻戻し用ソレノイド１５ｄを制御する信号を出力し、モータ１５ｅを高速に回転し巻始め部まで磁気テープを巻戻しステップ４３に進む。
　　　【００２７】
　ステップ４３では、制御回路１５ａより再生・記録用ソレノイド１５ｂと早送り用ソレノイド１５ｃを制御し、高速サーチ状態となりステップ４４に進む。
　　　【００２８】
　ステップ４４において、フォーマットＩＤのスタートＩＤ並び曲番情報を信号処理部１２よりラインｌ５を介してマイコン１４の曲情報検出制御回路１４ｂに与え曲を検知し、ステップ４５に進む。
　　　【００２９】
　ステップ４５において、曲を検知するとマイコン１４の表示信号制御回路１４ｄより表示部１７へ曲番のＮＯ．を点滅周期０．５秒（以下「点滅（１）」という）で点滅する制御信号を出し、表示部１７で表示し、ステップ４６に進む。
　　　【００３０】
　ステップ４６において、ステップ４４と同様信号出力部１２よりラインｌ５を介してフォーマットＩＤのＩＤ６のデジタルコピー禁止信号の情報をマイコン１４のコピー禁止信号の有無を検出し制御信号を出力するコピー禁止検出制御回路１４ａに与え、その判断によりステップ４７またはステップ４８に進む。コピー
禁止信号があれば、ステップ４７においてマイコン１４の表示信号制御回路１４ｄより表示部１７へ曲番のＮＯ．が点滅（１）の表示から点滅周期１．０秒（以下「点滅（２）」という）で点滅する制御信号を出し、表示部１７で点滅（２）表示する。コピー禁止信号がなければ、ステップ４８においてステップ４７と同様な処理で表示部１７で点灯表示する。
　　　【００３１】
　ステップ４９において、信号処理部１２よりラインｌ５を介してフォーマットＩＤのエンドＩＤの有無の情報をマイコン１４の曲情報検出制御回路１４ｂに与える。最終曲でない場合（エンドＩＤが無しの時）はステップ４３まで戻り、上記ステップ４３からステップ４９の処理を繰り返す。最終曲の場合（エンドＩＤが有る時）はステップ５０へ進む。
　　　【００３２】
　ステップ５０において、マイコン１４よりラインｌ４を介してメカニズム制御部１５の制御回路１５ａへ１曲目のスタート部へ巻戻しする制御信号が与えられる。制御回路１５ａでは巻戻し用ソレノイド１５ｄによりモーター１５ｅを高速回転し巻戻し、信号処理部１２よりラインｌ５を介してマイコン１４の曲情報検出制御回路１４ｂにフォーマットＩＤのスタートＩＤを検出すれば制御回路１５ａでは巻戻し用ソレノイド１５ｄをＯＦＦしモーター１５ｅを停止し、１曲目のスタート部へ巻戻し停止する。
　　　【００３３】
　この時の表示部１７の表示内容の一実施例を図４に示す。図４は例えば１１曲記録（録音）してあり、２曲目、４曲目、８曲目がコピー禁止であり、その他はコピー可能である時の表示内容である。図４（ａ）は７曲目のコピー禁止信号の有無を判断している途中の表示内容であり、図４（ｂ）は１１曲が最終曲であると判断し１曲目のスタート部へ巻戻し停止した後の表示内容である。
　　　【００３４】
　従って、曲数識別を指定すると、記録した磁気テープの曲数の表示と共にコピー禁止信号の有無の識別が容易に視認できる。
　　　【００３５】
　次に、請求項２を実施するための実施例を図５に示すフローチャートにより説明する。
　　　【００３６】
　ステップ７１において、キー入力部２９の自動キー選択キー２９ｈをＯＮするキー操作を行なうと、ステップ７２に進み、マイコン２５のキー入力制御回路２５ｃよりラインｌ２を介してメカニズム制御部２８にデジタル記録開始の制御信号が与えられる。該メカニズム制御部２８では制御回路２８ａより再生・記録用ソレノイド２８ｂを制御する信号を出力し、モータ２８ｅを回転させデジタル記録が開始される。
　　　【００３７】
　ステップ７３において、再生側のコピー禁止信号の制御信号をデジタル信号入力端子２３、デジタル信号変換部２４よりラインｌ１を介してマイコン２５に送る。マイコン２５のコピー禁止検出制御回路２５ａでフォーマットＩＤのＩＤ６の内容を判断する。コピー禁止信号が無しの場合はステップ７４に進みデジタル記録を実行する。コピー禁止信号が有る場合はステップ７５並びにステップ７７に進む。
　　　【００３８】
　先ずステップ７５において、マイコン２５よりラインｌ２を介してメカニズム制御部２８へ一時停止する制御信号を与える。メカニズム制御部２８の制御回路２８ａより再生・記録用ソレノイド２８ｂをＯＦＦさせ、モーター２８ｅを停止させ一時停止状態とする。それと同時にステップ７７においてマイコン２５よりラインｌ３を介してマイコン１４へ再生側を制御する信号を送りステップ７８へ進む。
　　　【００３９】
　ステップ７８において、マイコン１４よりラインｌ４を介してメカニズム制御部１５へ制御信号が送られる。メカニズム制御部１５の制御回路１５ａより再生・記録用ソレノイド１５ｂと早送り用ソレノイド１５ｃの両方をＯＮさせモーター１５ｅを高速に回転させスキップ動作状態とし、ステップ７９へ進む。ステップ７９において次曲までスキップするとフォーマットＩＤのＩＤ６の情報を判断するステップ８０に進む。
　　　【００４０】
　ステップ８０において、コピー禁止信号が有るとステップ７９に戻り同様の処理を繰り返す。コピー禁止信号が無いとステップ７６並びにステップ８１に進む。
　　　【００４１】
　ステップ７６において、メカニズム制御部２８では制御回路２８ａより再生・記録用ソレノイド２８ｂをＯＮさせモーター２８ｅを回転させ一時停止状態を解除する。それと同時にステップ７７からステップ７９の処理の逆の処理をステップ８１からステップ８３において実施してスキップ動作を解除して再生状態となる処理を行なう。ステップ７６並びにステップ８３からステップ７４へ進み、途切れのない連続したデジタル記録が可能となる。
　　　【００４２】
　従って、ユーザーが記録に際してこの自動選択を指定すると、デジタルコピー禁止曲はスキップしてデジタルコピー可能な曲のみを自動選択して途切れなく連続してデジタル記録されることになる。
　　　【００４３】
　次に請求項３を実施するための実施例を説明する。図１の本装置全体斜視図の表示部１ｃの下部に記録開始曲を指定するキー２ａ，記録終了曲を指定するキー２ｂ，指定取り消しキー２ｃ並びに指定完了キー２ｄからなる設定キー部２を配置しておく。
　　　【００４４】
　例えば１１曲記録してあり２曲目、４曲目、８曲目がコピー禁止であり、その他はコピー可能である場合において３曲目から９曲目までのデジタルコピー可能な曲を選択してデジタル記録する方法について説明する。
　　　【００４５】
　識別キー操作により図１の表示部１ｃに図４（ｂ）の如く識別表示されていてそれをユーザーが容易に視認して、先ず記録開始曲指定キー２ａを１度押すと「四角枠中に１」の表示が消灯し記録開始曲が２曲目となる。更にもう１度押すと「星状の中に２」の表示が消灯し記録開始曲が３曲目となる。次に記録終了曲指定キー２ｂを１度押すと「四角枠中に１１」の表示が消灯し記録終了曲が１０曲目となる。更にもう１度押すと「四角枠中に１０」の表示が消灯し記録終了曲が９曲目となる。そうして指定完了キー２ｄを押すと設定が完了する。設定に誤りがあれば指定取り消しキー２ｃを押し上記手順により設定をやり直す。
　　　【００４６】
　以上の処理を実施した後自動選択キー操作を行なうと記録してある全ての曲からの自動選択ばかりでなく、任意に指定した曲からの自動選択ができデジタル記録が可能となる。
　　　【００４７】
　次に、デジタルコピー動作の他の例を図６に示すフローチャートにより説明する。
　　　【００４８】
　図１の前面パネル部１のコントロール操作キー部１ｂの連続記録キー２９ｉを操作すると、図５のフローチャートのステップ７５からステップ８３の処理が図６のステップ９２の処理となり、並びにステップ７３とステップ７４の間にステップ９１の処理が追加となり、ステップ７２まで同じ処理である。
　　　【００４９】
　ステップ７３において、デジタル信号変換部２４よりデジタル信号をラインｌ１を介してマイコン２５のコピー禁止検出制御回路２５ａに送り、コピー禁止信号が無い場合は、ステップ９１でマイコン２５よりラインｌ６を介して入力切換部３２をデジタル信号変換部２４の出力側に選択するように設定し、デジタル信号を直接に記録するようにステップ７４に進む。
　　　【００５０】
　コピー禁止信号が有る場合は、ステップ９２で同様に入力切換部３２をＡ／Ｄ変換器２２の出力側に選択するように設定し、デジタル信号をＤ／Ａ変換器１３、Ａ／Ｄ変換器２２を介して記録するようにステップ７４に進む。
　　　【００５１】
　従ってユーザーが記録に際してこの連続記録を指定すると、デジタルコピー禁止曲をスキップすることなく記録してある曲を全てデジタルコピー禁止の有無にかかわらずデジタル記録されることになる。
　　　【００５２】
　以上の装置は、Ｒ−ＤＡＴについて述べたが、Ｓ−ＤＡＴについても同様に応用可能である。
　　　【００５３】
　　【発明の効果】
　以上のように、請求項１記載の発明によれば、
ユーザーの操作に基づいて
データ群を表わす
所望のタイミングにて画像表示を開始させることにより、
　請求項２記載の発明によれば、デジタルコピーが可能なデータ群のみを選択的に再生することにより、デジタルコピーが可能なデータ群のみを自動選択して途切れなく連続してデジタル記録することができるため、ユーザーが常時監視することなく、デジタルコピー動作を円滑に行うことできる。
　請求項３記載の発明によれば、指定された記録開始データ群と記録終了データ群との間に位置するデジタルコピーが可能なデータ群を選択的に再生することにより、デジタルコピーが可能なデータ群のみを自動選択して途切れなく連続してデジタル記録することができると共に、そのデジタル記録を行うデータ群をユーザーにおいて任意に設定することができるため、ユーザーが常時監視することなく、所望データ群のデジタルコピー動作を円滑に行うことができる。
【図面の簡単な説明】
　　【図１】
　本発明にかかるデジタル信号記録再生装置を示す全体斜視図である。
　　【図２】
　本発明にかかるデジタル信号記録再生装置を示す概略ブロック回路図である。
　　【図３】
　同デジタル信号記録再生装置における識別表示時の動作制御の一例を示すフローチャートである。
　　【図４】
　同デジタル信号記録再生装置における表示部の具体的な識別表示の一例を示す説明図である。
　　【図５】
　同デジタル信号記録再生装置におけるデジタルコピー時の動作制御の一例を示すフローチャートである。
　　【図６】
　同デジタル信号記録再生装置におけるデジタルコピー時の動作制御の他の例を示すフローチャートである。
　　【符号の説明】
　１　　本装置の前面パネル部
　１ａ　カセット挿入口
　１ｂ　コントロール操作キー部
　１ｃ　表示部
　２　　設定キー部
１１　　再生部
１２，２６　　信号処理部
１３　　Ｄ／Ａ変換器
１４，２５　　マイコン
１５，２８　　メカニズム制御部
１６，２９　　キー入力部
１７，３０　　表示部
２２　　Ａ／Ｄ変換器
２４　　デジタル信号変換部
２７　　記録部